(57)【特許請求の範囲】
【請求項１】
通話機能を有する端末装置であって、
タッチスクリーンと、
プロセッサと、
前記端末装置の位置の変化に基づく前記端末装置の動きを検出するためのセンサとを備え、
前記プロセッサは、
通話を終了するための第１のタッチ操作を受け付ける第１の画面を前記タッチスクリーンに表示させ、
予め定められた条件が成立した場合、前記第１のタッチ操作を無効化し、
前記センサからの出力に基づいて前記端末装置をユーザの耳元から前記ユーザに正対する位置に移動させる第１の移動操作が行われたと判断した場合、前記無効化を解除し、
前記センサは、前記端末装置の姿勢の変化を検出するためのジャイロセンサと、前記端末装置の加速度を検出するための加速度センサとを含み、
前記プロセッサは、前記ジャイロセンサからの出力値の最大値が第１の閾値以上であって、前記出力値が最大値となった時刻を含む予め定められた時間内において前記加速度センサの出力値の変化率が第２の閾値以上となったことを条件に、前記第１の移動操作が行われたと判断する、端末装置。
【請求項２】
前記プロセッサは、
前記予め定められた条件が成立した場合、前記無効化を解除するための第２のタッチ操作を受け付ける第２の画面を前記タッチスクリーンに表示させ、
前記第１の移動操作が行われたと判断した場合、前記タッチスクリーンに表示させる画面を前記第２の画面から前記第１の画面に切り替える、請求項１に記載の端末装置。
【請求項３】
前記プロセッサは、前記センサからの出力に基づいて前記端末装置を前記正対する位置から前記耳元に移動させる第２の移動操作が行われた場合に、前記予め定められた条件が成立したと判断する、請求項１または２に記載の端末装置。
【請求項４】
通話機能を有する端末装置における情報処理方法であって、
前記端末装置のプロセッサが、通話を終了するためのタッチ操作を受け付ける画面を、前記端末装置のタッチスクリーンに表示させるステップと、
予め定められた条件が成立したことに基づき、前記プロセッサが、前記タッチ操作を無効化するステップと、
前記端末装置をユーザの耳元から前記ユーザに正対する位置に移動させる移動操作が行われたことに基づき、前記プロセッサが、前記無効化を解除するステップと、
前記端末装置の姿勢の変化を検出するためのジャイロセンサからの出力値の最大値が第１の閾値以上であって、前記出力値が最大値となった時刻を含む予め定められた時間内において前記端末装置の加速度を検出するための加速度センサの出力値の変化率が第２の閾値以上となったことを条件に、前記プロセッサが、前記移動操作が行われたと判断するステップとを備える、情報処理方法。
【発明の詳細な説明】
【技術分野】
【０００１】
本発明は、通話機能を有する端末装置および当該端末装置における情報処理方法に関する。
【背景技術】
【０００２】
従来、スマートフォン等の通話機能を有する端末装置が知られている。特許文献１には、このような端末装置の一例として、通話時におけるタッチパネルに対する耳や頬などの接触による誤動作等を防止することを目的とした携帯電話装置が開示されている。具体的には、当該携帯電話装置は、通話状態であると判定した場合、表示部の表示面に表示された通話状態制御画像における通話終了操作キー画像などの特定操作キー画像に対応した通話状態の制御を無効にする。
【先行技術文献】
【特許文献】
【０００３】
【特許文献１】特開２０１４−１６５７６９号公報
【発明の概要】
【発明が解決しようとする課題】
【０００４】
しかしながら、特許文献１の携帯電話装置では、通話状態と判定されると、通話終了操作キーに対する操作が無効化される。したがって、携帯電話装置では、通話が終了したと判定されるまで、無効化を解除することはできない。
【０００５】
本願発明は、上記の問題点に鑑みなされたものであって、その目的は、通話中に無効化された通話終了のためのタッチ操作を通話中に迅速に有効化することが可能な端末装置および当該端末装置における情報処理方法を提供することにある。
【課題を解決するための手段】
【０００６】
本発明のある局面に従うと、端末装置は、通話機能を有する。端末装置は、タッチスクリーンと、プロセッサと、端末装置の位置の変化に基づく端末装置の動きを検出するためのセンサとを備える。プロセッサは、通話を終了するための第１のタッチ操作を受け付ける第１の画面をタッチスクリーンに表示させる。プロセッサは、予め定められた条件が成立した場合、第１のタッチ操作を無効化する。プロセッサは、センサからの出力に基づいて端末装置をユーザの耳元からユーザに正対する位置に移動させる第１の移動操作が行われたと判断した場合、無効化を解除する。
【発明の効果】
【０００７】
本発明によれば、タッチ操作を行なわなくても、通話終了操作の無効化を解除可能となる。
【図面の簡単な説明】
【０００８】
【図１】本実施の形態に係るスマートフォンの処理の概要を説明するための図である。
【図２】スマートフォンのハードウェア構成の概略を説明するための図である。
【図３】スマートフォンで行われる処理の流れを説明するためのフローチャートである。
【図４】図３におけるステップＳ１０の詳細を説明するためのフローチャートである。
【図５】ある局面における、センサの出力を表したグラフである。
【図６】図５の局面とは異なる局面における、センサの出力を表したグラフである。
【図７】スマートフォンで行われる処理の流れを説明するためのフローチャートである。
【発明を実施するための形態】
【０００９】
以下、図面を参照しつつ、本発明の各実施の形態に係る端末装置について説明する。また、以下の説明では、同一の部材には同一の参照符号を付してある。それらの名称および機能も同じである。したがって、それらについての詳細な説明は繰り返さない。
【００１０】
また、以下では、端末装置として、スマートフォンを例に挙げて説明する。しかしながら、端末装置は、スマートフォンに限定されるものではなく、フィーチャーフォン、タブレット端末、ファブレット端末等の通話機能を有する機器であれば、特に限定されない。
【００１１】
＜Ａ．処理の概要＞
図１は、本実施の形態に係るスマートフォン１の処理の概要を説明するための図である。詳しくは、図１は、スマートフォン１を把持したユーザの姿勢の変化、および、当該変化に応じたスマートフォン１に表示される画面の遷移状態を説明するための図である。
【００１２】
図１を参照して、状態（Ａ）は、ユーザが電話を掛けるために左手でスマートフォン１を把持し、ユーザがタッチスクリーン１３（詳しくは、後述するディスプレイ１３１）に表示された画面２１０における発信用のアイコン２１１に人差指を接触させた状態を表している。
【００１３】
なお、発信用のアイコン２１１は、ソフトウェアキー（オブジェクト）である。また、後述する、終了用のアイコン２２１，２３２およびロック解除用のアイコン２３１も、発信用のアイコン２１１と同様に、ソフトウェアキーである。なお、上側に示したスマートフォン１の拡大図においては、人差指を省略している。
【００１４】
状態（Ｂ）は、状態（Ａ）の後の状態を表している。具体的には、状態（Ｂ）は、ユーザがスマートフォン１を左耳の耳元に移動させた状態を表している。状態（Ａ）において発信用のアイコン２１１がユーザによって選択されたことに基づき、スマートフォン１は、状態（Ｂ）に示すとおり、通話中であることを表すとともに通話を終了させるためのタッチ操作（以下、「第１のタッチ操作」とも称する）を受け付ける画面２２０を、タッチスクリーン１３に表示する。
【００１５】
画面２２０は、典型的には、少なくとも、通話時間と、通話を終了させるためのアイコン２２１とを含んでいる。また、「第１のタッチ操作」は、本実施の形態では、アイコン２２１に対するタップ操作である。なお、第１のタッチ操作は、タップ操作に限定されるものではない。
【００１６】
状態（Ｃ）は、状態（Ｂ）の後の状態を表している。具体的には、状態（Ｃ）は、状態（Ｂ）に示した画面２２０が表示されてから予め定められた時間（たとえば、１０秒）が経過した後の状態を表している。スマートフォン１は、状態（Ｃ）に示すとおり、上記第１のタッチ操作（すなわちタップ操作）を無効化するとともに、当該無効化を解除する第２のタッチ操作を受け付けるための画面２３０をタッチスクリーン１３に表示する。
【００１７】
画面２３０は、典型的には、少なくとも、無効化中（ロック中）であることを示す表示と、第１のタッチ操作の無効化を解除するためのロック解除用のアイコン２３１と、通話を終了させるためのアイコン２３２とを含む。また、「第２のタッチ操作」は、典型的には、アイコン２３１を画面２３０の下方へスライドさせるドラッグ操作である。
【００１８】
なお、「第２のタッチ操作」は、アイコン２３２を画面２３０の下方へスライドさせるドラッグ操作であってもよい。この場合には、アイコン２３２のドラッグ操作に基づき、スマートフォン１は、第１のタッチ操作の無効化を解除のみならず、通話を終了させる。
【００１９】
状態（Ｄ）は、状態（Ｃ）の後の状態を表している。具体的には、状態（Ｄ）は、ユーザが、スマートフォン１を耳元からユーザに正対する位置に移動させた後の状態を表している。換言すれば、状態（Ｄ）は、スマートフォン１が正面視姿勢になった状態を合わしている。
【００２０】
スマートフォン１は、このようにスマートフォン１をユーザの耳元からユーザに正対する位置に移動させる移動操作が行われたと判断した場合、上記無効化を解除する。具体的には、スマートフォン１は、タッチスクリーン１３に表示させる画面を、画面２３０から画面２２０に切り替える。すなわち、スマートフォン１は、状態（Ｂ）と同じ画面をタッチスクリーン１３に再度表示する。
【００２１】
このように、第１のタッチ操作が無効化された場合（画面がロックされた場合）であっても、ユーザは、スマートフォン１をユーザの耳元からユーザに正対する位置に移動させる移動操作を行なうだけで、当該無効化を解除できる。すなわち、スマートフォン１は、通話を終了させるときにユーザが通常行う動作（モーション）を検出したことに基づき、第１のタッチ操作の無効化を解除する。
【００２２】
したがって、スマートフォン１によれば、ユーザは、通話中に無効化された通話終了のための第１のタッチ操作（タップ操作）を通話中に迅速に有効化させることが可能となる。それゆえ、スマートフォン１によれば、ユーザの利便性が向上する。
【００２３】
＜Ｂ．ハードウェア構成＞
図２は、スマートフォン１のハードウェア構成の概略を説明するための図である。図２を参照して、スマートフォン１は、プロセッサ１１と、メモリ１２と、タッチスクリーン１３と、センサ１４と、通信ＩＦ（Interface）１５と、アンテナ１６と、音声処理装置１７と、マイク１８と、スピーカ１９とを備えている。
【００２４】
プロセッサ１１は、スマートフォン１の全体的な動作を制御する。プロセッサ１１は、スマートフォン１の制御部として機能する。プロセッサ１１の処理の詳細については、後述する。
【００２５】
メモリ１２は、オペレーティングシステム、各種のアプリケーションプログラム、閾値等の各種のデータを記憶している。メモリ１２に記憶された、オペレーティングシステム、各種のプログラム、および各種のデータは、プロセッサ１１によって読み出される。メモリ１２は、スマートフォン１の記憶部として機能する。メモリ１２は、典型的には、ＲＯＭ（Read Only Memory）、ＲＡＭ（Random Access Memory）、フラッシュメモリ等により構成される。
【００２６】
タッチスクリーン１３は、ディスプレイ１３１と、タッチパネル１３２とを含む。タッチスクリーン１３では、典型的には、ディスプレイ１３１に対してタッチパネル１３２が重ねて配置されている。
【００２７】
ディスプレイ１３１は、各種の画面を表示する。当該画面には、各種の情報（アイコン、文字列等）が含まれる。ディスプレイ１３１は、プロセッサ１１から指示された画面を表示する。ディスプレイ１３１は、スマートフォン１の表示部として機能する。なお、プロセッサ１１は、ディスプレイ１３１に対しては表示制御部として機能する。
【００２８】
タッチパネル１３２は、スマートフォン１のユーザのタッチ操作を検出する。タッチ操作としては、タップ操作、スワイプ操作、ドラッグ操作等が挙げられる。タッチパネル１３２は、スマートフォン１の操作受付部（入力検知部）として機能する。
【００２９】
なお、タッチスクリーン１３は、このような構成に限定されず、表示部と操作受付部とがハードウェア的に分離できない構成のものであってもよい。
【００３０】
センサ１４は、ジャイロセンサ１４１と、加速度センサ１４２とを含む。センサ１４（すなわち、ジャイロセンサ１４１および加速度センサ１４２）は、スマートフォン１の位置の変化に基づくスマートフォン１の動きを検出するために用いられる。ジャイロセンサ１４１および加速度センサ１４２は、本実施の形態では３軸のセンサであって、ＸＹＺ座標が設定されている。ジャイロセンサ１４１および加速度センサ１４２は、３つの軸の各々に関し、検出結果を電圧値としてプロセッサ１１に出力する。なお、鉛直方向の軸をＺ軸とし、Ｚ軸に垂直であって且つ各々が直交する２つの軸を、それぞれ、「Ｘ軸」，「Ｙ軸」とする。
【００３１】
ジャイロセンサ１４１は、スマートフォン１の姿勢の変化を検出するために用いられる。ジャイロセンサ１４１は、典型的には、振動ジャイロセンサである。詳しくは、ジャイロセンサ１４１は、スマートフォン１の角速度（deg/s）を３つの軸（Ｘ，Ｙ，Ｚ）毎に検出し、検出された角速度を電圧値として出力する。なお、ジャイロセンサ１４１は、振動ジャイロセンサ以外に、光学式ジャイロセンサ、流体式ジャイロセンサであってもよい。
【００３２】
加速度センサ１４２は、スマートフォン１の加速度を検出する。詳しくは、加速度センサ１４２は、スマートフォン１の加速度を３つの軸（Ｘ，Ｙ，Ｚ）毎に検出し、検出された角速度を電圧値として出力する。加速度センサ１４２としては、たとえば、静電容量方式またはピエゾ抵抗方式のセンサを用いることができる。
【００３３】
なお、センサ１４では、ジャイロセンサ１４１と加速度センサ１４２とが別体である必要はなく、ジャイロセンサ１４１と加速度センサ１４２とが１つのデバイスとしてパッケージ化されていてもよい。
【００３４】
通信ＩＦ１５は、アンテナ１６に接続されており、アンテナ１６を介して受信した信号に対して信号処理を行なう。また、アンテナ１６を用いて信号を送信するための信号処理を行なう。具体的には、通信ＩＦ１５は、ベースバンド処理、ＲＦ（Radio Frequency）処理等を行なう。
【００３５】
音声処理装置１７は、マイク１８によって集音された音声に対して信号処理を行なう。また、音声処理装置１７は、スピーカ１９から音声を出力させるための信号処理を行なう。具体的には、音声処理装置１７は、Ａ／Ｄ（Analog to Digital）変換、Ｄ／Ａ（Digital to Analog）変換等の処理を行なう。
【００３６】
次に、プロセッサ１１の処理の詳細について説明する。
（１）プロセッサ１１は、通話を終了するための第１のタッチ操作（典型的には、タップ操作）を受け付ける画面２２０をタッチスクリーン１３（詳しくは、ディスプレイ１３１）に表示させる。プロセッサ１１は、予め定められた条件が成立した場合、第１のタッチ操作を無効化する。プロセッサ１１は、センサ１４からの出力に基づいてスマートフォン１のユーザの耳元からユーザに正対する位置に移動させる移動操作（以下、「第１の移動操作」とも称する）が行われたと判断した場合、上記無効化を解除する。
【００３７】
上記構成によれば、スマートフォン１は、通話を終了させるときにユーザが通常行う動作（モーション）を検出したことに基づき、第１のタッチ操作の無効化を解除する。したがって、スマートフォン１によれば、ユーザは、通話中に無効化された通話終了のための第１のタッチ操作を通話中に迅速に有効化させることが可能となる。
【００３８】
「予め定められた条件」は、上述したように、画面２２０が表示されてから予め定められた時間経過したことである。しかしながら、これに限定されず、予め定められた条件は、後述する変形例（＜Ｅ．変形例＞）で説明する条件であってもよい。
【００３９】
（２）詳しくは、プロセッサ１１は、上記予め定められた条件が成立した場合、上記無効化を解除するための第２のタッチ操作を受け付ける画面２３０をタッチスクリーン１３に表示させる。プロセッサ１１は、上記第１の移動操作が行われたと判断した場合、タッチスクリーン１３に表示させる画面を、画面２３０から画面２２０に切り替える。すなわち、プロセッサ１１は、画面２２０をタッチスクリーン１３に再び表示させる（図１の状態（Ｄ））。
【００４０】
上記の構成によれば、第１のタッチ操作を受け付ける画面（無効化が行われていない画面２２０，アンロック画面）をタッチスクリーン１３に表示可能となる。それゆえ、ユーザは、第１のタッチ操作を即座に行うことが可能となる。
【００４１】
（３）センサ１４は、スマートフォン１の姿勢の変化を検出するためのジャイロセンサ１４１と、スマートフォン１の加速度を検出するための加速度センサ１４２とを含む。プロセッサ１１は、ジャイロセンサ１４１からの出力値の最大値が第１の閾値以上であって、出力値が最大値となった時刻を含む予め定められた時間内において加速度センサの出力値の変化率が第２の閾値以上となったことを条件に、上述した第１の移動操作が行われたと判断する。詳しくは、ジャイロセンサ１４１は、３軸のジャイロセンサであり、加速度センサ１４２は、３軸の加速度センサである。上記第１の閾値は、ジャイロセンサ１４１の各軸について個別に設定されている。
【００４２】
上記の構成によれば、スマートフォン１は、スマートフォン１がユーザの耳元からユーザに正対する位置に移動したか否かを判断することができる。つまり、スマートフォン１は、上記第１の移動操作がユーザによって行われたか否かを判断できる。
【００４３】
＜Ｃ．制御構造＞
図３は、スマートフォン１で行われる処理の流れを説明するためのフローチャートである。図３を参照して、ステップＳ２において、スマートフォン１は、通話開始操作を受け付ける。具体的には、発信の場合には、スマートフォン１は、アイコン２１１（図１の状態（Ａ）参照）の選択をユーザから受け付ける。なお、着信があった場合には、スマートフォン１は、着信に応答するためのアイコン（図示せず）の選択をユーザから受け付ける。
【００４４】
ステップＳ４において、スマートフォン１は、第１のタッチ操作を受け付けるための画面２２０（図１の状態（Ｂ）参照）をディスプレイ１３１に表示する。ステップＳ６において、スマートフォン１は、画面２２０が表示されてから予め定められた時間が経過したか否かを判断する。
【００４５】
予め定められた時間が経過したと判断された場合（ステップＳ６においてＹＥＳ）、ステップＳ８において、スマートフォン１は、第１のタッチ操作を無効化し、第２のタッチ操作を受け付ける画面２３０をディスプレイ１３１に表示する。予め定められた時間が経過していないと判断された場合（ステップＳ６においてＮＯ）、スマートフォン１は、処理をステップＳ６に戻す。
【００４６】
ステップＳ１０において、スマートフォン１は、スマートフォン１をユーザの耳元からユーザに正対する位置に移動させる移動操作（つまり、上述した第１の移動操作）を受け付けたか否かを判断する。
【００４７】
移動操作を受け付けたと判断された場合（ステップＳ１０においてＹＥＳ）、ステップＳ１２において、スマートフォン１は、第１のタッチ操作に対する無効化を解除し、画面２２０をディスプレイ１３１に再度表示する（図１の状態（Ｄ））。ステップＳ１４において、スマートフォン１は、第１のタッチ操作（具体的には、アイコン２２１へのタップ操作）を受け付けたか否かを判断する。受け付けたと判断された場合（ステップＳ１４においてＹＥＳ）、ステップＳ１６において、スマートフォン１は、通話を終了する。受け付けていないと判断された場合（ステップＳ１４においてＮＯ）、スマートフォン１は、処理をステップＳ１４に戻す。
【００４８】
移動操作を受け付けていないと判断された場合（ステップＳ１０においてＮＯ）、ステップＳ１８において、スマートフォン１は、第２のタッチ操作を受け付けたか否か（具体的には、アイコン２３１（図１の状態（Ｃ）参照）が画面下方向にドラッグされたか否か）を判断する。第２のタッチ操作を受け付けたと判断された場合（ステップＳ１８においてＹＥＳ）、スマートフォン１は、処理をステップＳ１２に進める。第２のタッチ操作を受け付けていないと判断された場合（ステップＳ１８においてＮＯ）、ステップＳ２０において、スマートフォン１は、アイコン２３２（図１の状態（Ｃ）参照）が画面２３０の下方向にドラッグされたか否かを判断する。
【００４９】
アイコン２３２がドラックされたと判断された場合（ステップＳ２０においてＹＥＳ）、スマートフォン１は、処理をステップＳ１６に進める。アイコン２３２がドラッグされていないと判断された場合（ステップＳ２０においてＮＯ）、スマートフォン１は、処理をステップＳ１０に戻す。
【００５０】
図４は、図３におけるステップＳ１０の詳細を説明するためのフローチャートである。図４を参照して、ステップＳ１０２において、スマートフォン１は、軸毎（Ｘ，Ｙ，Ｚ）に設定された閾値以上の角速度が全ての軸に関して検出されたか否かを判断する。検出されたと判断された場合（ステップＳ１０２においてＹＥＳ）、ステップＳ１０４において、スマートフォン１は、軸毎に、角速度が最大となった時刻（ｔｘ，ｔｙ，ｔｚ）を特定する。検出されていないと判断された場合（ステップＳ１０２においてＮＯ）、スマートフォン１は、処理をステップＳ１８に進める。
【００５１】
ステップＳ１０６において、スマートフォン１は、時刻（ｔｘ，ｔｙ，ｔｚ）のうち、最も時刻が早い時刻と最も時刻が遅い時刻との時間差が３００ｍｓ以内であるか否かを判断する。なお、３００ｍｓは、一例であって、これに限定されるものではない。３００ｍｓ以内であると判断された場合（ステップＳ１０６においてＹＥＳ）、ステップＳ１０８において、スマートフォン１は、角速度が最大となった時刻（ｔｘ，ｔｙ，ｔｚ）の平均値である時刻ｔｖ（＝（ｔｘ＋ｔｙ＋ｔｚ）／３）を算出する。３００ｍｓ以内でないと判断された場合、スマートフォン１は、処理をステップＳ１８に進める。
【００５２】
ステップＳ１１０において、スマートフォン１は、時刻ｔｖの３００ｍｓ前から時刻ｔｖの３００ｍｓ後迄の時間内（すなわち、６００ｍｓ）内に、全ての軸（Ｘ、Ｙ，Ｚ）に関して閾値以上の加加速度（躍度）が検出されたか否かを判断する。検出されたと判断された場合（ステップＳ１１０においてＹＥＳ）、スマートフォン１は、処理をステップＳ１２に進める。検出されていないと判断された場合（ステップＳ１１０においてＮＯ）、スマートフォン１は、処理をステップＳ１８に進める。
【００５３】
＜Ｄ．センサ出力＞
以下に、ジャイロセンサ１４１および加速度センサ１４２の各々の出力について、具体例を挙げて説明する。なお、以下の説明は、図４のステップＳ１０２〜Ｓ１１０に関連するものである。
【００５４】
図５は、ある局面における、センサ１４の出力を表したグラフである。詳しくは、図５は、スマートフォン１をユーザの耳元からユーザに正対する位置に移動させる移動操作（すなわち、通話を終了させるときにユーザが通常行う動作）を行なったときに、ジャイロセンサ１４１および加速度センサ１４２から出力される信号を表したグラフである。
【００５５】
より詳しくは、図５（Ａ）は、ジャイロセンサ１４１の出力を表したグラフである。図５（Ｂ）は、図５（Ａ）の時間と同じ時間帯における、加速度センサ１４２の出力を表したグラフである。
【００５６】
図５（Ａ）を参照して、グラフの横軸は時間（ｍｓ）を表し、縦軸は角速度出力（ｒａｄ／ｓ）を表している。各軸の閾値は、個別に設定されている。スマートフォン１では、一例として、Ｘ軸およびＺ軸の閾値が“＋１．５（ｒａｄ／ｓ）”に設定されており、Ｙ軸の閾値が“−１．５（ｒａｄ／ｓ）”に設定されている。つまり、スマートフォン１では、一例として、各軸の閾値の絶対値が同じ値となるように設定されている。
【００５７】
時刻ｔｖの付近で各軸とも角速度出力が大きく変化している。具体的には、ジャイロセンサ１４１は、全ての軸に関し、閾値を超える角速度を検出している。また、各軸の角速度出力の最大値（ピーク）の時間間隔は、３００ｍｓ以内に収まっている。このように、各軸の出力とも、捻るようなモーションを検知している。
【００５８】
図５（Ｂ）を参照して、グラフの横軸は時間（ｍｓ）を表し、縦軸は加速度出力（ｍ／ｓ２）を表している。時刻ｔｖの前後３００ｍｓの時間（６００ｍｓ）において、各軸とも加加速度（ｍ／ｓ３）が閾値を超えた状態となっている。より詳しくは、時刻ｔｖの３００ｍｓ後の時刻における加速度の値から時刻ｔｖの３００ｍｓ前の時刻における加速度の値を差し引くことにより得られる差を、時刻ｔｖの前後３００ｍｓの時間（すなわち６００ｍｓ）で割ったときに得られる値（グラフの傾き）が、各軸ともに、各軸の閾値を超えた状態となっている。スマートフォン１では、一例として、Ｘ軸の閾値が“＋３．３３ｍ／ｓ３”に設定され、Ｙ軸の閾値が“−５．００ｍ／ｓ３”に設定され、Ｚ軸の閾値が“＋１０．００ｍ／ｓ３”に設定さている。
【００５９】
図６は、図５の局面とは異なる局面における、センサ１４の出力を表したグラフである。詳しくは、図６は、スマートフォン１をユーザの耳元からユーザに正対する位置に移動させる移動操作をユーザが意図的にゆっくりと行なったときに、ジャイロセンサ１４１および加速度センサ１４２から出力される信号を表したグラフである。つまり、図６は、図５に対する比較例を表したグラフである。
【００６０】
より詳しくは、図６（Ａ）は、ジャイロセンサ１４１の出力を表したグラフである。図６（Ｂ）は、図６（Ａ）の時間と同じ時間帯における、加速度センサ１４２の出力を表したグラフである。なお、図６（Ａ）の縦軸および横軸の各単位は、図５（Ａ）と同じであり、図６（Ｂ）の縦軸および横軸の各単位は、図５（Ｂ）と同じである。
【００６１】
図６（Ａ）を参照して、時刻ｔｖ’の付近で各軸とも角速度出力が変化している。しかしながら、図５の場合よりもゆっくりとした移動操作が行われているため、ジャイロセンサ１４１は、全ての軸に関し、閾値を超える角速度を検出していない。このような角速度出力が得られた場合には、スマートフォン１は、スマートフォン１をユーザの耳元からユーザに正対する位置に移動させる移動操作を受け付けたと判断しない。すなわち、スマートフォン１は、図４のステップＳ１０２において否定的な判定（すなわち、ＮＯの判定）をし、処理をステップＳ１８に進める。
【００６２】
図６（Ｂ）を参照して、図５の場合よりもゆっくりとした移動操作が行われているため、時刻ｔｖ’の前後３００ｍｓの時間（６００ｍｓ）においては、各軸とも加加速度が閾値を超えた状態となっていない。
【００６３】
このように、通常の移動操作（詳しくは、スマートフォン１の製造メーカ等によって設定された角速度出力の閾値および加加速度の閾値を超える移動操作）が行われた場合には、スマートフォン１は、スマートフォン１をユーザの耳元からユーザに正対する位置に移動させる移動操作を受け付けたと判断する。一方、通常では行われない移動操作が行われた場合には、スマートフォン１は、スマートフォン１をユーザの耳元からユーザに正対する位置に移動させる移動操作を受け付けたと判断しない。
【００６４】
＜Ｅ．変形例＞
ところで、上記においては、プロセッサ１１が、センサ１４からの出力に基づいてスマートフォン１のユーザの耳元からユーザに正対する位置に移動させる移動操作（つまり、第１の移動操作）が行われた否かを判断する構成を説明した。
【００６５】
以下では、当該第１の移動操作の有無の判断に加えて、プロセッサ１１が、センサ１４からの出力に基づいてスマートフォン１のユーザに正対する位置からユーザの耳元に移動させる移動操作（以下、「第２の移動操作」とも称する）が行われた否かをさらに判断する構成について説明する。つまり、プロセッサが、第１の移動操作と、第１の移動操作とは逆のモーションとなる第２の移動操作との各々が行われたか否かを判断する構成について説明する。
【００６６】
図７は、スマートフォン１で行われる処理の流れを説明するためのフローチャートである。図７を参照して、スマートフォン１は、図４のステップＳ６の代わりにステップＳ１０６の処理を行なう。図７における他の処理は、図４で示した処理と同じであるため、ここでは、繰り返し説明は行わない。
【００６７】
ステップＳ４の後のステップＳ１０６において、スマートフォン１は、スマートフォン１をユーザに正対する位置からユーザの耳元に移動させる移動操作（つまり、上述した第２の移動操作）を受け付けたか否かを判断する。第２の移動操作を受け付けたと判断された場合（ステップＳ１０６においてＹＥＳ）、スマートフォン１は、処理をステップＳ８に進める。第２の移動操作を受け付けたと判断された場合（ステップＳ１０６においてＮＯ）、スマートフォン１は、処理をステップＳ１４に進める。
【００６８】
以上のように、プロセッサ１１は、センサ１４からの出力に基づいてスマートフォン１をユーザに正対する位置からユーザの耳元に移動させる第２の移動操作が行われた場合に、予め定められた条件が成立したと判断する。当該構成によれば、第２の移動操作が行われたと判断されたことに基づき、プロセッサ１１は、上記第１のタッチ操作を無効化するとともに、当該無効化を解除するための上記第２のタッチ操作を受け付ける画面２３０をタッチスクリーン１３に表示させることになる。
【００６９】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００７０】
１  スマートフォン、１１  プロセッサ、１２  メモリ、１３  タッチスクリーン、１４  センサ、１６  アンテナ、１７  音声処理装置、１８  マイク、１９  スピーカ、１３１  ディスプレイ、１３２  タッチパネル、１４１  ジャイロセンサ、１４２  加速度センサ、２１０，２２０，２３０  画面、２１１，２２１，２３１，２３２  アイコン。
【図１】
0006552274.tif 000002
【図２】
0006552274.tif 000003
【図３】
0006552274.tif 000004
【図４】
0006552274.tif 000005
【図５】
0006552274.tif 000006
【図６】
0006552274.tif 000007
【図７】
0006552274.tif 000008